(57)【要約】      （修正有）【課題】楽器（ギター）に使用するストラップであって、楽器のストラップピンから外れ難いストラップを提供する。【解決手段】ストラップピン９への装着部分である舌状片１２を、スリット５の入る位置が違う部材を重ね合わせた物にし、ストラップピン９へまとめて装着する。そのことによって、それぞれのスリット５を塞ぐことが出来る。その上、重ね合わせた部材を、端部で縫い合わせることにより、ストラップピン９から外れ難くなる。【選択図】図１
2013217991.tif 000002
【特許請求の範囲】
【請求項１】
ストラップピンへの装着部分である舌状片を、ストラップ装着部の上に補強部を重ねて構成したものにし、それぞれの保持孔を同じ位置で重ね合わせる。このときストラップ装着部と補強部にあるスリットは、違う位置で重ね合わせることを特徴とした舌状片を備えたストラップ。
【請求項２】
請求項１に記載してあるストラップにおいて、ストラップ装着部の上に補強部を重ねて構成したものを、端部で縫い合せることによって、一体化させることを特徴とした舌状片を備えたストラップ。
【請求項３】
請求項２に記載してあるストラップにおいて、補強部にはベロ状部分があり、このベロ状部分を収納するための収納部が、ストラップ装着部の上に、重ねてあることを特徴とした舌状片を備えたストラップ。
【発明の詳細な説明】
【技術分野】
【０００１】
本発明は、楽器用ストラップの、楽器への装着部分である舌状片に関するものである。
【背景技術】
【０００２】
従来の楽器用ストラップの楽器への装着部分である舌状片１２は、図６に示すように、ストラップピンを保持するための保持孔４と、ストラップピンを保持孔へ挿入するために設けられたスリット６が、つながっている形状のものであった。
【０００３】
しかしながら、従来の技術によれば、ストラップピンを保持する為の保持孔４とスリット６がつながっていることによって、楽器（ギター）１０についたストラップピン９から、ストラップの舌状片部分１２が外れやすいという欠点があった。
そのため、過去において意図しない状況において、ストラップピンからストラップの舌状片部分が外れて楽器が落下することや、外れるたびに付け直したりしなければならず、ストラップ使用時においての問題が多々あった。
【０００４】
そのため従来は、ストラップから楽器が外れて脱落するのを防ぐために、ストラップとは別に脱落防止具を用意することが一般的であった。しかしながら、ストラップとは別に脱落防止具を用意することは、携帯時に紛失する可能性があり、また脱落防止具によっては楽器本体への加工が必要であるなど利便性についてさらに改善の余地があった。
【０００５】
また、過去において楽器からの脱落防止のための構造をもったストラップも存在したが、構造が複雑でありデザイン性に制限があるなど広く一般的に使用されるストラップではなく、現在、図６に示してある形状を用いているものが殆どである。
【先行技術文献】
【特許文献】
【０００６】
【特許文献１】特開２００１−８３９６２号公報
【特許文献２】特開２０１０−８５４２３号公報
【特許文献３】特開２０１０−１０７７５０号公報
【発明の概要】
【発明が解決しようとする課題】
【０００７】
本発明は、このような問題に鑑みてなされたものであり、解決しようとする課題は、ストラップピンから外れ難い舌状片を備えたストラップを、簡単な構造で提供することである。
【課題を解決するための手段】
【０００８】
添付図面を参照して本発明の要旨を説明する。
【０００９】
以上の課題を解決するために、請求項１に記載の発明は、ストラップピンへの装着部分である舌状片１２を、ストラップ装着部１の上に補強部２を重ねて構成したものにし、それぞれの保持孔４を同じ位置で重ね合わせる。このときストラップ装着部と補強部にあるスリット５，６は、違う位置で重ね合わせることを特徴とした舌状片を備えたストラップである。
【００１０】
このように構成すると、ストラップ装着部１と補強部２にある、保持孔４からのスリットの位置が異なるため、重ねてストラップピンに装着することにより、ストラップ装着部と補強部のスリットがそれぞれの革によって塞がる。そのことによって、ストラップにある舌状片１２の保持孔からストラップピンから外れ難くなる。
【００１１】
請求項２に記載の発明は、請求項１に記載してある、ストラップ装着部１の上に補強部２を重ねて構成したものを、端部７で縫い合せることによって、一体化させることを特徴とした舌状片を備えたストラップである。
【００１２】
このように構成すると、ストラップ装着部１と補強部２を端部７で縫い合わせることにより、ストラップピンへ装着している状態において、それぞれの保持孔４の位置がずれることが無くなりストラップピンから外れ難くなる上、一体化しているため携帯時においても紛失することがない。その上、以上の構成にすることにより、構造が簡単なためデザインにも幅をもたせることが出来る。
【００１３】
請求項３に記載の発明は、前記の補強部２にはベロ状部分２０１があり、このベロ状部分を収納するための収納部３が、ストラップ装着部の上に、重ねてあることを特徴とした舌状片を備えたストラップである。
【００１４】
このように構成すると、補強部２のベロ状部分２０１を収納部３に差し込んで収納することにより、請求項２の状態よりさらに、ストラップ装着部１と補強部２を一体化させた状態となり、よりストラップピンから外れ難くなる。
【発明の効果】
【００１５】
本発明は、以上に説明した構成により、ストラップピンから外れ難い舌状片を備えたストラップを提供することができる。また、構造が簡単で、舌状片自体を革製のものだけで製作することも可能であり、安価に製作することができる。そのため、実用性に優れた効果を奏するものである。
【図面の簡単な説明】
【００１６】
【図１】本発明に係る舌状片の平面図である。
【図２】図１の分解図である。(a)はストラップ装着部,(b)は補強部,(c)は収納部。
【図３】本発明の一実施形態を示す斜視図である。(d)はストラップ装着部の保持孔をストラップピンに装着した状態,(e)はストラップ装着部と補強部の保持孔をストラップピンに装着した状態。
【図４】本発明の一実施形態に係る舌状片を備えた楽器用ストラップを、楽器（ギター）に装着している状態を示す平面図である。
【図５】図１のIV―IV線に沿った断面図である。
【図６】従来の技術を示す平面図である。
【発明を実施するための形態】
【００１７】
以下、本発明に係る一実施形態を、添付図面を参照して説明する。
【００１８】
楽器（ギター）１０は、立った状態で演奏する場合に、ストラップ１１を使用する。その為、楽器本体にはストラップを装着するためのストラップピン９が取り付けられてある。ストラップは帯状の形をしており、その両端には、概して舌状の形をしている舌状片１２がついてある。
この舌状片１２にはストラップピンを保持するための孔と、その孔からはストラップピンを挿入するために設けられたスリットが、孔と繋がった状態で入っている。この舌片状にあるストラップピン保持孔４へストラップピンを挿入することにより、楽器（ギター）を携行状態で演奏することが可能になる。
【００１９】
本発明は、ストラップ１１の両端についている舌状片１２についてのものである。なお、ストラップ１１の帯の部分については、以前において、広く一般的に知られたストラップの素材、方法、仕様、構成のものを用いることとする。
【００２０】
舌状片１２は図２に示す(a)、(b)、(c)、の３つのパーツからなる。舌状片のパーツの一つである、(a)ストラップピン装着部１は、革などの丈夫で柔軟性がある部材を用いてあり、ストラップ１１とつながっている。
【００２１】
(b)補強部２は、前記のストラップピン装着部１の上に重ねて配置する。図１にあるように、ストラップピン装着部１と補強部２のそれぞれに開いている保持孔４は、同じ位置で重ね合わせる。そのとき、それぞれの保持孔４から伸びているスリット５，６の向きは反対方向で配置することとする。また重ね合わせたストラップ装着部と補強部は端部７にて縫い合わせ一体化させる。
【００２２】
(c)収納部３は、補強部２にあるベロ状部分２０１を収納するためにある。この収納部は、図１にあるように、ストラップ装着部の上に重ね合わせた状態の、補強部のベロ状部分２０１を、差し込んで収納できる位置に配置する。また、補強部２と収納部３の部材もストラップピン装着部１と同じく、革などの丈夫で柔軟性がある部材を用いることとする。
【００２３】
本実施形態によれば、以下のような効果を得ることができる。
保持孔４からのスリットの入る位置が異なるストラップピン装着部１と補強部２を、重ねてストラップピンへ装着することにより、ストラップピン装着部と補強部に入っているスリットが、それぞれの革によって塞がれることとなり、ストラップが外れ難くなる。
【００２４】
また、端部７でストラップピン装着部１と補強部２を縫い合わせ、補強部２のベロ状部分を収納部３に収納することにより、ストラップピン装着部１と補強部２の位置がずれることがなくなり、さらにストラップの外れ難さが向上することが、期待できる。
【００２５】
そのため、演奏者が演奏に集中することができ、より良いパフォーマンスが期待できる。
【００２６】
なお、他の実施形態として以下のように変更してもよい
本実施形態において、ストラップピンに挿入するためのスリットの形は一直線であり、保持孔４の形は丸型であったが、スリットの形や保持孔の形は、例えば、露形や三角形など別の形をしていても良い。
【００２７】
本実施形態においてのパーツの形は添付図面に示した通りであるが、本発明の趣旨を逸脱しない範囲であれば、例えば、補強部のベロ状部分が三角形であるなど、別の形をしていてもよい。
【００２８】
本実施形態において、楽器をギターとして説明したが、ストラップピンを用いている楽器であれば、例えば、ベースやキーボードなど別の楽器でもよい。
【００２９】
本実施形態において、舌状片１２に使用する部材は、革などの丈夫で柔軟性がある部材を用いることとしたが、これには、ポリエチレンやポリプロピレンなどの合成樹脂も含む。
【００３０】
本実施形態において、ストラップ装着部と補強部とを端部にて縫い合わせるとしたが、ストラップ装着部と補強部にストラップピンが装着できるだけのスペースが確保できる位置であれば、端部以外の位置にてそれぞれを縫い合わせてもよい。また縫い合わせる箇所は複数であってもよい。
【実施例】
【００３１】
上記の構成の舌状片１２に係る実施例を、図３を用いて以下に詳しく説明する。
【００３２】
まず図３(d)、にあるように、ストラップ装着部１の保持孔４にスリット６を利用して、ストラップピン９を装着する。この状態は、従来のストラップにおける舌状片の使用方法と同じである。本発明は、この使用方法をさらに推し進めて考えられたものであり、次の段階は、図３(e)、のようになる。
【００３３】
図３(e)では、補強部２にある保持孔４に、スリット５を利用して、ストラップピン９を装着する。このとき、ベロ状部分２０１を用いて引っ張ることにより装着しやすくなる。また、使用している部材が、革などの丈夫で柔軟性がある部材であるため、その柔軟性を利用して装着が可能になる。
【００３４】
その後、ベロ状部分２０１を収納部３へ差し込んで収納することにより、ストラップ装着部１と補強部２がより一体化し、さらにストラップピンからストラップが外れ難いものとなる。
【符号の説明】
【００３５】
１…装着部
２…補強部
３…収納部
４…ストラップピン保持孔
５…スリット
６…スリット
７…縫い目
８…孔
９…ストラップピン
１０…楽器（ギター）
１１…ストラップ
１２…ストラップピンへの装着部分である舌状片
２０１…補強部ベロ状部分
【図１】
2013217991.tif 000003
【図２】
2013217991.tif 000004
【図３】
2013217991.tif 000005
【図４】
2013217991.tif 000006
【図５】
2013217991.tif 000007
【図６】
2013217991.tif 000008